(57)【要約】【課題】挟扼ガイドが出退する作動が不規則になって、移送中の詰りや穀稈のずれを生じる前記挟扼ガイドの傾きや挟扼間隔の異常を、微動調整できる穀稈挟扼装置の提供である。【解決手段】搬送チェン１と対向する挟扼ガイド２の取付け台６を、刈取りフレーム３から延設した取付け座３８に複数のネジ棒５を植立させて挟着し、前記取付け台６の内側に設けた挟持板８を上、下ナット４０、４１で挟み、高さと挟扼間隔の調節を行い、前記搬送チェン１に対して挟扼ガイド２を水平に装着させる調節構造を備えた穀稈挟扼装置にしたものである。【選択図】　　　　　　図１
2004065121.tif 000002
【特許請求の範囲】
【請求項１】
脱穀機を搭載した機体の前方に昇降自在の刈取部を設け、刈刃上にスターホイルを対設して穀稈を掻き込み、後方に連設した下部搬送装置と縦搬送で脱穀部に供給する刈取り搬送装置において、刈取りフレーム（３）から延設した取付け座（３８）にネジ棒（５）を植立させ、挟扼ガイド（２）を弾持した取付け台（６）を前記ネジ棒（５）に螺合する上、下ナット（４０）、（４１）で挟着し、搬送チェン（１）に対して前記挟扼ガイド（２）の上下調節を可能にしたことを特徴とするコンバインの穀稈狭扼装置。
【請求項２】
挟扼ガイド（２）の支軸（１３）に沿った挟持板（８）を取付け台（６）の内側に架設したことを特徴とする請求項１に記載したコンバインの穀稈挟扼装置。
【請求項３】
ネジ棒（５）に対向する取付け台（６）の上面（１１）を開口させたことを特徴とする請求項２に記載したコンバインの穀稈挟扼装置。
【請求項４】
２箇所に植立させたネジ棒（５）の片方を支軸（１３）が出退する前後方向にずらした配置にし、個別の高さ調節によって取付け台（６）の傾きを変化させたことを特徴とする請求項１に記載したコンバインの穀稈挟扼装置。
【発明の詳細な説明】
【０００１】
【発明の属する技術分野】
下部搬送装置の挟扼ガイドを搬送チェンに対して前後と上下方向の双方に調節可能にしたコンバインの穀稈狭扼装置に関するものである。
【０００２】
【従来の技術】
従来、挟扼ガイドの上下方向や傾きを調節をするために厚みの異なる座金を締結面に挟み調整をしていたが多くの手間と組立て技術が要求され、これを改善するために水平方向と垂直方向の長孔を穿孔した間座を設け、取付け台を前後と上下方向に調節するものが特開平５−１１５２１２号公報に開示されている。一方、取付け台が前後方向に摺動する構成にし、支持軸と平行に螺軸を設けて挟扼ガイドを出退させるものが実開平５−３９２４０号公報の実施例に図示されたり、刈取りフレームから弾持した取付け台に挟扼ガイドを取付けるために、支軸にネジを成形して相対するナットで挟着し、搬送チェンに対して挟扼間隔を平行にするとともに長孔を活用して長手方向の挟扼ガイド位置を調節するものが特開平７−１７７８１５号公報に記載され、ネジ軸を用いて出退させる調節構造が開示されているが、何れも上下方向の調節をするものでなく、しかも、搬送チェンに対して「へ」の字形に屈折した取付け台の傾きを水平に調節することができない構成である。
【０００３】
【発明が解決しようとする課題】
搬送チェンに対向する挟扼ガイドの傾きや挟扼間隔が異なると、チェンプレートに接触して前記挟扼ガイドの磨耗が進行し、搬送チェンから逸脱して搬送詰り等の異常を招き、取付け台が変形したり上面側に突出する締結ボルトに穀稈が引っ掛り移送を妨げる等の問題点がある。
【０００４】
このような問題点を解消するために、狭扼ガイドの取付け精度を向上させる調節機構を搬送装置に設け、搬送チェンに作用する挟持力を安定させるとともに出退動作を円滑にしたコンバインの穀稈狭扼装置を提供するものである。
【０００５】
【課題を解決するための手段】
搬送チェンに対向した挟扼ガイドを微動調整できる調節構造にしたり、取付け台に作用する圧縮荷重を支軸の近傍で支持する構成にし、搬送詰り等による変形や磨耗を防止した穀稈狭扼装置にしたものである。
【０００６】
刈刃上にスターホイルを対設して穀稈を掻き込み、後方に連設した下部搬送装置と縦搬送で脱穀部に供給する刈取り搬送装置において、刈取りフレームから延設した取付け座にネジ棒を植立させ、挟扼ガイドを弾持した取付け台を前記ネジ棒に螺合する上、下ナットで挟着し、搬送チェンに対して前記挟扼ガイドの上下調節をナットの高さで選択する調節構造にした。
【０００７】
挟扼ガイドの支軸に沿った挟持板を取付け台の内側に架設し、圧縮荷重が生じる支軸近傍で取付け台を支持する構成にした。
【０００８】
ネジ棒に対向する取付け台の上面を開口させ、上、下ナットの高さ選択と締結操作を行い、前記上面からのボルト等の突出を防止する構成にした。
【０００９】
２箇所に植立させたネジ棒の片側を支軸が出退する前後方向にずらした配置にし、個別の高さ調節によって取付け台の傾きを変化させ、搬送チェンと同じ水平姿勢に調整する取付け台の支持構造にした。
【００１０】
【発明実施の形態】
【実施例】
本発明による刈取部に設けた穀稈狭扼装置について図６に示すコンバインに装着した刈取部の側面図と、図２に示す下部搬送装置の平面図を併用して構造の概要を説明すると、左右一対のクローラ走行装置１５に支持された機台１６上に脱穀部Ｂを搭載し、前方に立設する据付台１７に回動支点Ｐを形設して昇降自在に刈取部Ａを装着した形態であって、先端には傾倒した穀稈を分離しながら浮揚させる分草板１８を設け、後方にタイン２０を内装する引起装置Ｃを配置させて穀稈を引揚げ、稈元側を突起付ベルト２１と案内棒２２で保持しながら後方に誘導し、刈刃２３で切断すると同時に対設したスターホイル２５で図２に示す集束部２６に搬送する掻き込み装置にしてある。そして、これに連なる搬送チェン１と挟扼ガイド２で切断した穀稈を狭持する下部搬送装置Ｄに受継ぎ、後方に穀稈を移送した合流部に縦搬送２７の始端側を臨ませて揚上搬送に移行するようにした刈取部Ａの構成である。
【００１１】
図２の下部搬送装置の平面図と、図６の側面図で脱穀部に供給する移送経路を説明すると、下部搬送装置Ｄを搬送チェン１に挟扼ガイド２を対向させた挟扼構造にし、ハの字形に設置した双方の終端部に縦搬送２７の始端側を臨ませ、上端がフィードチェン２８から遠近する揺動自在の構成にして、長短稈の穀稈に適合する扱深さ調節を行い、稈元を前記フィードチェン２８の前方に受継ぐようにした稈元側の移送経路である。一方穂部側の移送を搬送チェン１と略平行に配置した上部搬送装置Ｅで立ち姿勢の穀稈を緩持し、後方に搬送する途中から前記縦搬送２７による稈元の揚上搬送に移行し、順次横倒姿勢に変化させて穀稈を脱穀部Ｂの供給口３０から供給する移送経路にしたものである。
【００１２】
図１は、挟扼ガイドを弾持した取付け台の断面図であって、下部搬送装置を形成する挟扼ガイドの構造を図２の平面図を併用して説明すると、多条刈りをする刈取部Ａでは刈刃２３の上方に複数のスターホイル２５を噛合させてあり、一体に装着した突起付ベルト２１を前記刈刃２３の前方にハの字形に張設し、穀稈の移送量に応じて拡縮する案内棒３１を併設した前傾姿勢にし、分草パイプ３２の先端に設けた分草板１８で浮揚させた穀稈を前記刈刃２３に誘導して切断する掻き込み装置にしたものである。
【００１３】
下部搬送装置Ｄの構造は、駆動側のスターホイル２５に固着したスプロケット３３に搬送チェン１を巻装したハの字形の搬送体にして、稈元を挟持しながら終端側に形成する合流部３５に移送し、縦搬送２７の先端に受継がせる移送経路にするとともに、これを駆動するために左側の刈取りフレーム３から突設させた駆動スプロケット３６から受動し、一体構造の前記スターホイル２５と噛合する相手側を同時に回転させる前記下部搬送装置Ｄの構成である。又、搬送チェン１に対して挟扼ガイド２を適正な位置に設定するために、分草パイプ３２から左右に延設した取付け座３８を前記搬送チェン１と平行に設けてネジ棒５を複数植立させ、取付け台６の内側に架設した挟持板８の長孔７が嵌挿し上、下ナット４０、４１で高さを微動調整した後で挟着する取付け構造にしてあり、前記挟扼ガイド２の平行度と挟扼間隔が適正に調節されて、締結窓１２から工具を挿入して上ナット４０で螺着する穀稈挟扼装置である。
【００１４】
このように挟扼間隔と上下調節をする取付け台の構造を図３に示す取付け台の平面図と図４に示す長手方向の断面図で説明すると、搬送チェン１の中央に配置させる挟扼ガイド２に対して垂直方向に支軸１３を並設し、取付け台６の両端を折り曲げて形成した摺動孔１４に圧縮バネ４２を介在させて、前記挟扼ガイド２を上方に付勢した挟扼装置にしてある。又、支軸１３の軸芯１０に沿った挟持板８を取付け台６の内側に架設し、圧縮荷重が生じる前記支軸１３の近傍位置を支持する取付け構造にしたので、詰り等の異常荷重が直接締結部に作用するようになり変形やガイド外れが生じず、しかも、上面１１からボルト頭やナット等の突起物が前記取付け台６の内側に収設され、移送中に外れた穀稈や塵埃の引っ掛りが減少する取付け構造にしたものである。
【００１５】
図５は、ネジ棒による調節事例の線図であって、図３の平面図を併用して取付け台が傾斜した角度調節を行う要領を説明すると、支軸１３の軸間に設けた挟持板８の２箇所にネジ棒５が嵌挿する長孔７を設け、移送する長手方向の間隔をＨ１にするとともに前記支軸１３が出退する上下の間隔をＨ２にずらした配置にし、図示する長孔７の一方を矢印ロ方向の高さに調節をすると、取付け台６が鎖線位置に移動して傾斜角度θに変化する。この角度変化によって搬送チェン１に対して前記取付け台６の取付け姿勢を水平に矯正でき、挟扼ガイド２の位置が微動調整できる調節構造にしたものである。このように２箇所に植立させたネジ棒５の配置にしたことで前述する挟扼間隔と上下調節に加えて、取付け台６の傾斜角度θも調節を可能にした取付け構造である。
【００１６】
図７はネジ棒による別途実施例の斜視図であって、図示要領は調節をする取付け座とネジ棒を実線で示し、弾持した挟扼ガイドと取付け台を鎖線にした斜視図であり、挟扼ガイドの前後間隔と上下調節の構成を説明すると、圧縮バネ４２を介して弾持した挟扼ガイド２の支軸１３と平行にネジ棒５を設け、取付け台６の折曲げ部４３に架設した構成にし、相対する上、下ナット４０、４１を前記ネジ棒５の中途部に螺合させ、取付け座３８の上端に設けた垂直方向のＵ字溝５０に前記ネジ棒５を嵌挿し、締結窓１２から前記上、下ナット４０、４１を回転させて挟扼ガイド２の前後間隔を調整するとともに、上下位置を前記Ｕ字溝５０を摺動させて高さの選択を可能にし、搬送チェン１に対して前記挟扼ガイド２を前後と上下に調節する別途実施例である。
【００１７】
【発明の効果】
下部搬送チェンに対向した挟扼ガイドの前後と上下方向の調節をネジ棒で微動調整したり、取付け台に作用する圧縮荷重を挟持板で支持し、搬送詰り等による異常荷重でも変形や磨耗を防止する穀稈狭扼装置にしたので、以下に記載するような効果を発揮するものである。
【００１８】
刈取りフレームから延設した取付け座にネジ棒を植立させ、挟扼ガイドを弾持した取付け台を前記ネジ棒に螺合する上、下ナットで挟着し、搬送チェンに対して前記挟扼ガイドの上下調節をナットの高さで調節したので、挟扼間隔と上下調節がナットの締結位置で微動調整が行え、挟扼ガイドが傾き異常磨耗が発生したり、搬送チェンから外れる等の搬送障害が防止できた。
【００１９】
挟扼ガイドに並設した支軸に沿った挟持板を取付け台の内側に架設し、圧縮荷重が生じる支軸の近傍で取付け台を支持したので、搬送詰り等の異常荷重が締結部に直接作用し、曲げ荷重が発生せず取付け台の変形や挟扼位置のずれが減少して挟持構造の剛性が高まった。
【００２０】
ネジ棒に対向させて取付け台の上面を開口させ、ナットの締結操作を行い易くし、前記上面からのボルト等の突出を防止する構成にしたので、挟扼されない穀稈や塵埃が引っ掛ることが少なくなり、堆積による移送抵抗が生じず挟扼稈の姿勢が安定した。
【００２１】
２箇所に植立させたネジ棒の片方を支軸が出退する前後方向にずらした配置にし、個別の高さ調節によって取付け台の傾きを変化させ、搬送チェンと同じ水平姿勢に調節できる構成にしたので、挟扼する方向が一致して移送力が向上し、搬送チェンから挟扼ガイドが外れる搬送詰りが解消された。
【図面の簡単な説明】
【図１】挟扼ガイドを弾持した取付け台の断面図である。
【図２】下部搬送装置の平面図である。
【図３】取付け台の平面図である。
【図４】取付け台を長手方向に断面した正面図である。
【図５】ネジ棒による調節事例を示す線図である。
【図６】コンバインの前方に装着した刈取部の側面図である。
【図７】別途実施例の斜視図である。
【符号の説明】
Ａ・・刈取部　　　　　　　　　　　　Ｂ・・脱穀部　　　　　　　　　　Ｄ・・下部搬送装置
Ｈ１・・ネジ棒の間隔　　Ｈ２・・上下間隔　　　　θ・・取付け台の傾斜角度
１・・搬送チェン　　　　　　２・・挟扼ガイド　　　　３・・刈取りフレーム
５・・ネジ棒　　　　　　　　　　　　６・・取付け台　　　　　　　　７・・長孔
８・・挟持板　　　　　１０・・軸芯　　　　　１１・・上面
１２・・締結窓　　　　　１３・・支軸　　　　　１４・・摺動孔
１８・・分草板　　　　　２３・・刈刃　　　　　２５・・スターホイル
２７・・縦搬送　　　　　３１・・案内棒　　　　３２・・分草パイプ
３８・・取付け座　　　　４０・・上ナット　　　４１・・下ナット
４２・・圧縮バネ
矢印ロ・・傾斜角度の調節方向
【図１】
2004065121.tif 000003
【図２】
2004065121.tif 000004
【図３】
2004065121.tif 000005
【図４】
2004065121.tif 000006
【図５】
2004065121.tif 000007
【図６】
2004065121.tif 000008
【図７】
2004065121.tif 000009